(57)【要約】【課題】被検査対象の検査性を損なうことなく先端光学アダプタの取り付け性を向上することができる内視鏡装置を提供すること。【解決手段】光源装置３と、被検査対象空間内に挿入され光源装置３からのレーザ光を先端部２１の出射端面３６ｂから出射する挿入部２４と、挿入部２４の先端部２１に着脱可能に取り付けられる先端光学アダプタ６０とを備える内視鏡装置１が、先端光学アダプタ６０の挿入部２４への着脱を検知するアダプタ検知手段と、アダプタ検知手段の検知に連動して前記出射部から出射する光を制御する出射光制御手段とを備えている。【選択図】図２
2006189592.tif 000002
【特許請求の範囲】
【請求項１】
光源と、被検査対象空間内に挿入され前記光源からの光を先端の出射部から出射する挿入部と、該挿入部の先端部に着脱可能に取り付けられる先端光学アダプタと、を備える内視鏡装置であって、
前記先端光学アダプタの前記挿入部への着脱を検知するアダプタ検知手段と、該アダプタ検知手段の検知に連動して前記出射部から出射する光を制御する出射光制御手段と、を設けたことを特徴とする内視鏡装置。
【請求項２】
前記アダプタ検知手段が、前記挿入部の先端部に設けられ前記先端光学アダプタの装着の有無により入切を行うスイッチであることを特徴とする請求項１に記載の内視鏡装置。
【請求項３】
前記アダプタ検知手段が、前記挿入部の先端部に離間して設けられた一対の電極と、前記先端光学アダプタに設けられ、該先端光学アダプタが前記挿入部の所定位置に装着された状態で前記一対の電極を接続して導通させる接続手段と、を備えていることを特徴とする請求項１に記載の内視鏡装置。
【請求項４】
前記アダプタ検知手段が、前記先端光学アダプタに設けられたコイルと、前記挿入部の先端付近に設けられて前記コイルの共振周波数を読み取る手段と、を備えていることを特徴とする請求項１に記載の内視鏡装置。
【請求項５】
前記アダプタ検知手段が、前記先端光学アダプタに設けられた磁性体と、前記挿入部の先端付近に設けられて前記磁性体から発せられた磁束を読み取る磁束検知手段と、を備えていることを特徴とする請求項１に記載の内視鏡装置。
【請求項６】
前記出射光制御手段は、前記アダプタ険知手段から前記先端光学アダプタが取り外された状態の検知信号を受けて、前記光源への電源供給を遮断、または閾値まで出力を低下させる電源制御手段からなることを特徴とする請求項１から５のいずれかに記載の内視鏡装置。
【請求項７】
前記出射光制御手段は、前記アダプタ検知手段の検知に連動して直接、前記光源の電源供給が入切される電源供給手段であることを特徴とする請求項２または３に記載の内視鏡装置。
【請求項８】
前記出射光制御手段は、前記アダプタ検知手段からの検知信号を受けて前記光の光路を遮光または減光する光路制御手段からなることを特徴とする請求項１から５のいずれかに記載の内視鏡装置。
【請求項９】
前記光路制御手段が、前記光源の出射端面と、該出射端面から前記挿入部の先端部に導光する導光部材の入射端面との間の光路上に設けられていることを特徴とする請求項８に記載の内視鏡装置。
【請求項１０】
前記光源が特定波長のレーザ光を発するレーザダイオードとされ、該レーザ光を異なる光学特性の光に変換する光学特性変換手段が前記先端光学アダプタに設けられていることを特徴とする請求項１から９のいずれかに記載の内視鏡装置。
【請求項１１】
前記光学特性変換手段が、前記レーザ光を励起光とし異なる波長の光を出射する蛍光体であることを特徴とする請求項１０に記載の内視鏡装置。
【請求項１２】
前記蛍光体を設けた前記先端光学アダプタを前記挿入部の先端に装着して白色光を照射することを特徴とする請求項１１に記載の内視鏡装置。
【請求項１３】
前記光学特性変換手段が、前記レーザ光を拡散照射する拡散光学部材であることを特徴とする請求項１０に記載の内視鏡装置。
【発明の詳細な説明】
【技術分野】
【０００１】
本発明は、医療用や工業用に用いられる内視鏡装置に関する。
【背景技術】
【０００２】
近年、ボイラや機械等の管路内、あるいはエンジンの内部の観察、点検等に、細長の挿入部をその内部に挿入して観察、点検を行うことができる内視鏡装置が広く利用されている。
上述の内視鏡装置には、挿入部の先端に荷電結合素子（以後、「ＣＣＤ」と表記）などの撮像素子を配置し、この撮像素子に結像した画像をモニタに表示して観察、点検等を行うビデオスコープ内視鏡装置がある。
【０００３】
このようなビデオスコープ内視鏡においては、その挿入部の先端に、それぞれ異なる光学的作用、たとえば、観察対象を拡大する作用や、挿入部の中心軸線に対して側方に位置する観察対象を観察する作用等を有する先端光学アダプタを、必要に応じて取り付けて所望の観察、点検等を行う多くの技術が提案されている（たとえば、特許文献１参照）。
【特許文献１】特開平８−２０１７０６号公報（第２−３頁、第２図等）
【発明の開示】
【発明が解決しようとする課題】
【０００４】
上述の特許文献１においては、先端光学アダプタにライトガイドにより導かれた光を拡散させる拡散光学系も配置されている。そのため、先端光学アダプタを挿入部の先端から取り外すと、ライトガイドから高輝度の光が外部に拡散されずに照射される。そのため、先端光学アダプタを内視鏡装置に取り付ける際に、ライトガイドから照射される光がまぶしく、先端光学アダプタを取り付けにくいという問題があった。
【０００５】
本発明は、上記の課題を解決するためになされたものであって、被検査対象の検査性を損なうことなく先端光学アダプタの取り付け性を向上することができる内視鏡装置を提供することを目的とする。
【課題を解決するための手段】
【０００６】
本発明は、上記の課題を解決するため、下記の手段を採用した。
本発明に係る内視鏡装置は、光源と、被検査対象空間内に挿入され前記光源からの光を先端の出射部から出射する挿入部と、該挿入部の先端に着脱可能に取り付けられる先端光学アダプタと、を備える内視鏡装置であって、前記先端光学アダプタの前記挿入部への着脱を検知するアダプタ検知手段と、該アダプタ検知手段の検知に連動して前記出射部から出射する光を制御する出射光制御手段と、を設けたことを特徴とするものである。
【０００７】
このような内視鏡装置によれば、先端光学アダプタの挿入部への着脱を検知するアダプタ検知手段と、アダプタ検知手段の検知に連動して出射部から出射する光を制御する出射光制御手段とを設けたことにより、先端光学アダプタの着脱状況をアダプタ検知手段で検知し、この着脱状況に応じて出射光制御手段が出射部から出光する光を自動的に制御できるようになる。すなわち、先端光学アダプタの着脱操作時に出射部から出光する光の発光を止めたり、あるいは、まぶしくない程度まで減光することができる。
【０００８】
上述した内視鏡装置において、前記アダプタ検知手段は、前記挿入部の先端に設けられ前記先端光学アダプタの装着の有無により入切を行うスイッチであることが好ましい。このような内視鏡装置は、先端光学アダプタを所定位置に装着した状態でスイッチが入ることにより、着脱の状態を確実に検知して出射光制御手段を連動させることができる。
【０００９】
上述した内視鏡装置において、前記アダプタ検知手段は、前記挿入部の先端部に離間して設けられた一対の電極と、前記先端光学アダプタに設けられ、該先端光学アダプタが前記挿入部の所定位置に装着された状態で前記一対の電極間を接続して導通させる接続手段と、を備えていることが好ましい。このような内視鏡装置は、先端光学アダプタを所定位置に装着した状態で一対の電極間が接続手段により導通するので、スイッチと同様の作用により着脱の状態を確実に検知し、出射光制御手段を連動させることができる。
【００１０】
上述した内視鏡装置において、前記アダプタ検知手段は、前記先端光学アダプタに設けられたコイルと、前記挿入部の先端付近に設けられて前記コイルの共振周波数を読み取る手段と、を備えていることが好ましい。このような内視鏡装置は、先端光学アダプタを所定位置に装着した状態で、コイルの共振周波数を読み取る手段が、先端光学アダプタに設けられたコイルの共振周波数を読み取ることで、着脱の状態を確実に検知して出射光制御手段を連動させることができる。
【００１１】
上述した内視鏡装置において、前記アダプタ検知手段は、前記先端光学アダプタに設けられた磁性体と、前記挿入部の先端付近に設けられて前記磁性体から発せられた磁束を読み取る磁束検知手段と、を備えていることが好ましい。このような内視鏡装置は、先端光学アダプタを所定位置に装着した状態で、磁性体から発せられた磁束を読み取る磁束検知手段が、先端光学アダプタに設けられた磁性体の磁束を読み取ることで、着脱の状態を確実に検知して出射光制御手段を連動させることができる。
【００１２】
上述した内視鏡装置において、前記出射光制御手段は、前記アダプタ険知手段から前記先端光学アダプタが取り外された状態の検知信号を受けて、前記光源への電源供給を遮断、または閾値まで出力を低下させる電源制御手段であることが好ましく、これにより、光源の電源供給を制御することにより、先端光学アダプタの出射部から出光する光源の発光を停止または減光させることができる。
【００１３】
上述した内視鏡装置において、前記出射光制御手段は、前記アダプタ検知手段の検知に連動して直接、前記光源の電源供給が入切される電源供給手段であることが好ましく、これにより、光源の電源供給を直接入切して、先端光学アダプタの出射部から出光する光源の発光を停止することができる。
【００１４】
上述した内視鏡装置において、前記出射光制御手段は、前記アダプタ検知手段からの検知信号を受けて前記光の光路を遮光または減光する光路制御手段であることが好ましく、これにより、光源で発光し先端光学アダプタの出射部から出光する光量を制御することができる。この場合の出射光制御手段は、光が光路を通過しないよう遮断する遮光手段、または、光路を通過する光量を低減する減光手段のいずれであってもよい。
この場合の光路制御手段は、前記光源の出射端面と、該出射端面から前記挿入部の先端部に導光する導光部材の入射端面との間の光路上に設けられていることが好ましい。
【００１５】
上述した内視鏡装置において、前記光源が特定波長のレーザ光を発するレーザダイオードとされ、該レーザ光を異なる光学特性の光に変換する光学特性変換手段が前記先端光学アダプタに設けられていることが好ましい。このような内視鏡装置とすれば、特定波長のレーザ光による蛍光観察（特定波長光観察）と、光学特性変換手段を介して得られる光による観察（たとえば白色光観察）とが、ひとつの光源を用い、先端光学アダプタを適宜交換することで使い分けできるようになる。
この場合、前記光学特性変換手段が、前記レーザ光を励起光とし異なる波長の光を出射する蛍光体であることが好ましく、さらに、前記蛍光体を設けた前記先端光学アダプタを前記挿入部の先端に装着して白色光を照射すれば、レーザ光源による白色光観察が可能となる。
また、上述した内視鏡装置においては、前記光学特性変換手段が、前記レーザ光を拡散照射する拡散光学部材であることが好ましい。
【発明の効果】
【００１６】
上述した本発明によれば、先端光学アダプタの着脱状況をアダプタ検知手段で検知し、この着脱状況に応じて出射光制御手段が出射部から出光する光を自動的に制御するので、先端光学アダプタの着脱操作時には、出射部から出光する光がまぶしくならないよう発光を停止または減光することができる。このため、先端光学アダプタの着脱時に露出する出射部から高輝度の光が照射されることはなく、観察に必要な光源を設けて被検査対象の十分な検査性を確保できるとともに、先端光学アダプタの着脱性が向上した内視鏡装置を提供することができる。
【発明を実施するための最良の形態】
【００１７】
〔第１の実施の形態〕
以下、本発明の第１の実施の形態について図１から図３を参照して説明する。
図１は、本発明の第１実施形態に係る内視鏡装置１の全体を示す概略図、図２は内視鏡装置１の全体構成例を示すブロック図、図３は内視鏡２の先端部２１を拡大して示す断面図である。
内視鏡装置１は、図１に示すように、被検査対象の像を撮像する内視鏡２と、被検査対象の照明に係るレーザ光を出射する光源装置（光源）３と、内視鏡２により撮像された像の電気信号を画像信号に変換処理する制御装置４と、制御装置４により処理された画像信号を表示するモニタ５と、から概略構成されている。
【００１８】
内視鏡２は、先端光学アダプタ６０が着脱可能に取り付けられるとともに、被検査対象の像を撮像するＣＣＤを内蔵した先端部２１と、細長で可撓性を有する湾曲部２２及び軟性部２３からなる挿入部２４と、挿入部２４の手元側にあって使用者が把持し操作する操作部２５と、操作部２５から延びる可撓性のユニバーサルコード２６と、ユニバーサルコード２６の端部に設けられたコネクタ２７と、から概略構成されている。なお、ユニバーサルコード２６には、後述するライトガイド（光路）及び信号ケーブル等が内蔵されている。
【００１９】
コネクタガイド２７には、光源装置３に接続される光源コネクタ２８が設けられ、この光源コネクタ２８を介して、内視鏡挿入部２４の先端部２１までレーザ光がライトガイドにより導かれるように構成されている。
さらに、コネクタ２７には、制御装置４に接続される制御コネクタ２９が設けられ、この制御コネクタ２９を介して、先端部２１に配置したＣＣＤで撮像した被検査対象の像の電気信号が信号ケーブルにより制御装置４へ導かれるように構成されている。
【００２０】
光源装置３は、図２に示すように、電源供給制御装置３１と、電源３２と、レーザダイオード３３と、集光光学部材３４とを具備した構成とされる。
電源供給制御装置３１は、電源３２の入切や出力調整など各種制御を行うものである。この電源供給制御装置３１及び電源３２は、特定波長のレーザ光を発光するレーザダイオード３３及びアダプタ検知手段として機能するスイッチ４０と、電源ケーブル３５ａ及び信号線３５ｂを介して電気的に接続されている。
【００２１】
レーザダイオード３３は光源装置３の内部にあり、電源３２から電源供給を受ける１個または複数個のレーザダイオード３３を適宜組み合わせることにより、特定波長のレーザ光を発するレーザ光源を構成している。また、レーザダイオード３３から発光されたレーザ光は、必要に応じて設けられる集光光学部材３４を介して、挿入部２４内に設けられたライトガイド（導光ファイバ）３６の入射端面３６ａに入射される。このライトガイド３６は、入射端面３６ａに入射されたレーザ光を、先端部２１の先端面に設けられた図示しない出射部から外部へ向けて出射するため出射端面３６ｂまで導光する。
【００２２】
先端部２１の外周面には、先端光学アダプタ６０と螺合して着脱可能とする雄ねじ部５０が形成されている。また、先端部２１には、ライトガイド３６の出射端面３６ｂと隣接して、被写体６から反射された観察部からの光を受けるＣＣＤ４１が設けられている。このＣＣＤ４１の前面には、必要に応じて観察光学部材４２が設けられている。
ＣＣＤ４１で撮像した観察画像の電気信号は、信号ケーブル４１ａを介して画像処理を行う制御装置４に送られ、さらに、制御装置４からの画像信号がモニタ５に送られて画像表示される。なお、上述した内視鏡２、光源装置３、制御装置４及びモニタ５は、それぞれを別体の装置としてもよいし、あるいは、これらのいずれか複数を適宜組み合わせたり全てを一体化した装置としてもよい。
【００２３】
先端部２１には、レーザ光の光学特性を変換可能な先端光学アダプタ６０が着脱可能に設けられている。先端光学アダプタ６０の着脱状態は、先端部２１側に設けたアダプタ検出手段のスイッチ４０により自動的に検知される。このスイッチ４０は、図３に示すように、先端部２１の先端面に設けた凹部であるスイッチ操作口５１内に、スイッチ可動部４０ａを突出させた状態として設置されている。
また、先端部２１の先端面には、先端光学アダプタ６０を接続する際の円周方向を位置決めするため、先端凹部５２が設けられている。
【００２４】
一方、先端光学アダプタ部材６０は、先端部２１の雄ねじ部５０と噛合して接続する雌ねじ部６１を有する略円筒形状の外輪部材６２と、この外輪部材６２の内側に回動可能に嵌合させた円柱部材６３とを備えている。
円柱部材６３には、照明用窓部６４及び観察用窓部６５を設けるとともに、円周方向を位置決めする凸部６６と、スイッチ４０を操作する突起部６７とが設けられている。照明用窓部６４は、凸部６６が先端凹部５２に挿入されて円周方向を位置決めした所定の接続位置において、ライトガイド３６の出射端面３６ｂと同軸上の前面（観察側）に位置している。また、照明用窓部６４には、レーザダイオード３３が発光したレーザ光を励起光とし白色発光する蛍光部材、あるいは、レーザ光を拡散照射する拡散光学部材からなる光学特性変換手段６８が設けられている。
【００２５】
観察用窓部６５は、凸部６６が先端凹部５２に挿入されて円周方向を位置決めした所定の接続位置において、ＣＣＤ４１及び観察光学部材４２と同軸上の前面に位置しており、被写体６から反射された観察部からの光を通す通路となる。
また、上述した所定の接続位置では、突起部６７がスイッチ操作口５１内に入り込んでスイッチ可動部４０ａを押し込むので、スイッチ４０のスイッチ操作が行われる。このスイッチ操作により、先端光学アダプタ６０が所定位置に取り付けられていることを示す電源制御信号、すなわち通常の通電信号が電源供給制御装置３１に出力される。
なお、先端光学アダプタ部材６０は、円柱部材を所定位置に取り付けて外輪部材６２を回転させることにより、雄ねじ部５０及び雌ねじ部６１が噛合して、内視鏡２の先端部２１に固定される。
【００２６】
以下、上述した構成の内視鏡装置１について、その作用を説明する、
内視鏡装置１では、観察対象等の諸条件に応じて先端光学アダプタ６０を適宜交換して使用する。このとき、先端光学アダプタ６０が先端部２１の所定位置に取り付けられていると、突起部６７がスイッチ可動部４０ａを押し込んでいるので、スイッチ４０から通電信号が出力された状態にある。このため、電源供給制御装置３１は、電源３２がレーザダイオード３３に通常の通電をするよう制御する。
【００２７】
しかし、たとえば先端光学アダプタ６０を交換するため、外輪部材６２を回転させて雄ねじ部５０及び雌ねじ部６１の螺合を解除していくと、外輪部材６２と一体に円柱部材６３が先端部２１の先端面から離間する方向へ移動する。このため、突起部６７も円柱部材６３と一体に先端面から離間し、スイッチ操作口５１から抜け出ることによりスイッチ可動部４０ａの押し込み操作が解除されるので、スイッチ４０の通電信号も解除される。
この結果、電源供給制御装置３１は、先端光学アダプタ６０が取り外された状態に対応して予め定めた電源３２の制御を実施する。この場合の制御としては、電源３２をＯＦＦとしてレーザダイオード３３への電源供給を完全に停止するか、あるいは、レーザダイオード３３への電源供給を所定値以下に低下させる。従って、レーザダイオード３３より発光されるレーザ光は、電源供給にの遮断または低減により、完全に停止または出力を弱められるので、先端光学アダプタ６０を取り外した先端部２１は、レーザ光の出射部となるライトガイド３６の出射端面３６ｂから高輝度の光を照射するようなことはない。
【００２８】
すなわち、先端光学アダプタ６０の着脱状況をアダプタ検知手段のスイッチ４０で検知し、この着脱状況に応じて出射光制御手段となる電源供給制御装置３１が出射端面３６ｂから出光するレーザ光を自動的に制御するので、先端光学アダプタ６０の着脱操作時には、出射端面３６ｂが設けられている内視鏡２の先端部２１から出光するレーザ光がまぶしくならないよう発光を停止または減光することができる。従って、先端光学アダプタ６０の着脱時に露出する先端部２１の出射端面３６ｂから高輝度のレーザ光が照射されることはなく、しかも、先端光学アダプタ６０を取り付けた状態では１００％の電源供給を行って十分な光量を確保できる。
【００２９】
また、上述したスイッチ４０は、先端光学アダプタ６０が外れている状態において、凹部となるスイッチ操作口５１にスイッチ可動部４０ａが設置されているので、たとえば指など突起部６７以外で押し込むような誤操作により通電信号を出力しにくいものとなる。
また、先端光学アダプタ６０が未装着でも高出力のレーザ光を被写体等に当てることなしに、異なる光学特性変換手段６８を備えた複数の先端光学アダプタ６０の中から適宜選択して最適のもの着脱することにより、たとえば特定波長のレーザ光や白色光のように、複数種類の観察に必要な光を、１種類の光源装置３という小型な装置で実現できる。
【００３０】
続いて、上述した第１の実施の形態に係る変形例を図４に示して説明する。なお、図４は上述した図２に対応するブロック図であり、同様の部分には同じ符号を付し、その詳細な説明は省略する。
この変形例では、内視鏡装置１′の光源装置３′に電源３２の制御を行う電源供給制御装置３１がなく、先端部２１に設けたアダプタ検知手段のスイッチ４０が電源３２の入切を直接制御するように構成されている。すなわち、電源３２とレーザダイオード３３とを接続する電源ケーブル３５ａの途中にスイッチ４０を配置し、同スイッチ４０が切られてＯＦＦの状態では通電されないように構成されているので、専用の電源供給制御装置３１がないことで回路を簡略化することができる。
【００３１】
〔第２の実施の形態〕
続いて、本発明に係る内視鏡装置について、第２の実施の形態を図５に基づいて説明する。なお、上述した実施の形態と同様の部分には同じ符号を付し、その詳細な説明は省略する。
この実施の形態では、上述したスイッチ４０のアダプタ検知手段に代えて、内視鏡２に配線された信号線３５ｂの先端に接続して設けられ、スイッチ操作口５１内に露出して互いに離間するよう配置された一対の電極７１，７２と、円柱部材６３から突出する突起部６７の先端部に取り付けられ、電極７１，７２間を接続して導通させる接続手段の導電部材７３とを備えたアダプタ検知手段が採用されている。なお、電極７１，７２は、各々が複数の電極部材により構成されてもよい。
【００３２】
このような構成とすれば、電極７１，７２と導電部材７３とによりスイッチ機構が形成されるので、上述した第１の実施の形態と同様に、先端光学アダプタ６０の着脱を検知することができる。なお、この場合の電極７１，７２は、先端光学アダプタ６０が外れている場合の誤操作を防ぐため、スイッチ操作口５１のように奥まった部分に設けられていることが望ましい。
このような構成としても、先端部２１に先端光学アダプタ６０が未装着の時、高出力のレーザ光が発せられることを防止できるので、まぶしさにより着脱操作性が低下することはない。また、高出力のレーザ光が被写体に当たるようなこともなく、さらに、複数の先端光学アダプタ６０を選択的に着脱することにより、複数種類の観察に必要な光を、１種類の光源装置３から得ることができる。
【００３３】
〔第３の実施の形態〕
続いて、本発明に係る内視鏡装置について、第３の実施の形態を図６に基づいて説明する。なお、上述した実施の形態と同様の部分には同じ符号を付し、その詳細な説明は省略する。
この実施の形態では、上述したスイッチ４０のアダプタ検知手段に代えて、内視鏡２に配線された信号線３５ｂの先端に接続して先端部２１の内部に設けられた共振周波数検知部７５と、円柱部材６３内に埋設されたコイル７６とを備えたアダプタ検知手段が採用されている。
【００３４】
このような構成とすれば、共振周波数検知部７５がコイル７６の共振周波数を読み取る手段として機能する。すなわち、先端光学アダプタ６０が所定位置に接続されていれば、共振周波数検知部７５がコイル７６の共振周波数を読み取って検知信号を出力し、先端光学アダプタ６０が未装着の時には検知信号の出力はないので、上述したスイッチ４０と同様の制御が可能になる。
このような構成としても、先端部２１に先端光学アダプタ６０が未装着の時、高出力のレーザ光が発せられることを防止できるので、まぶしさにより着脱操作性が低下することはない。また、高出力のレーザ光が被写体に当たるようなこともなく、さらに、複数の先端光学アダプタ６０を選択的に着脱することにより、複数種類の観察に必要な光を、１種類の光源装置３から得ることができる。
【００３５】
〔第４の実施の形態〕
続いて、本発明に係る内視鏡装置について、第４の実施の形態を図７に基づいて説明する。なお、上述した実施の形態と同様の部分には同じ符号を付し、その詳細な説明は省略する。
この実施の形態では、上述したスイッチ４０のアダプタ検知手段に代えて、内視鏡２に配線された信号線３５ｂの先端に接続して先端部２１の内部に設けられた磁束検知部７７と、円柱部材６３内に埋設された磁石（磁性体）７８とを備えたアダプタ検知手段が採用されている。
【００３６】
このような構成とすれば、磁束検知部７７が磁石７８から発せられた磁束を読み取る磁束検知手段として機能する。すなわち、先端光学アダプタ６０が所定位置に接続されていれば、磁束検知部７７が磁石７８の磁束を読み取って検知信号を出力し、先端光学アダプタ６０が未装着の時には検知信号の出力はないので、上述したスイッチ４０と同様の制御が可能になる。
このような構成としても、先端部２１に先端光学アダプタ６０が未装着の時、高出力のレーザ光が発せられることを防止できるので、まぶしさにより着脱操作性が低下することはない。また、高出力のレーザ光が被写体に当たるようなこともなく、さらに、複数の先端光学アダプタ６０を選択的に着脱することにより、複数種類の観察に必要な光を、１種類の光源装置３から得ることができる。
【００３７】
〔第５の実施の形態〕
続いて、本発明に係る内視鏡装置について、第５の実施の形態を図８に基づいて説明する。なお、上述した実施の形態と同様の部分には同じ符号を付し、その詳細な説明は省略する。
図８に示すレーザ光出射制御手段は、レーザダイオード３３の出射端面３６ｂとライトガイド３６の入射端部３６ａとの間に、レーザ光遮光手段として遮光シャッタ８１を設けたものである。この遮光シャッタ８１は、レーザ光が通過する光路上で挿抜するためのシャッタ駆動部８２と、上述したアダプタ検知手段からの信号に応じて遮光シャッタ８１を駆動させるシャッタ制御手段８３とを備えている。
【００３８】
このように構成されたレーザ光出射制御手段は、遮光シャッタ８１が矢印８４で示す方向に移動して光路上で挿抜され、先端光学アダプタ６０が装着されている時は遮光シャッタ８１を引き抜いて光路を開き、未装着時には遮光シャッタ８１が光路を閉じる。
なお、遮光シャッタ８１は、光路を完全に閉じる代わりに、レーザ光を減光する絞り状態に切替るようにしてもよく、このような場合には、アダプタ検知手段により先端光学アダプタ６０が外れた時、遮光シャッタ８１は、光路を全開とする位置から所定の絞り位置に移動してライトガイド３６へ出射されるレーザ光を抑えることができる。
【００３９】
このような構成としても、先端部２１に先端光学アダプタ６０が未装着の時、高出力のレーザ光が発せられることを防止できるので、まぶしさにより着脱操作性が低下することはない。また、高出力のレーザ光が被写体に当たるようなこともなく、さらに、複数の先端光学アダプタ６０を選択的に着脱することにより、複数種類の観察に必要な光を、１種類の光源装置３から得ることができる。
【００４０】
なお、本発明は上述した実施形態に限定されるものではなく、本発明の要旨を逸脱しない範囲内において適宜変更することができる。
【図面の簡単な説明】
【００４１】
【図１】本発明に係る内視鏡装置の第１の実施の形態について、全体構成を示す概略図である。
【図２】図１の内視鏡装置について、全体構成例を示すブロック図である。
【図３】図１及び図２の内視鏡装置について、内視鏡の先端部を拡大して示す断面図である。
【図４】本発明に係る内視鏡装置について、図２の変形例となる全体構成例を示すブロック図である。
【図５】本発明に係る内視鏡装置の第２の実施の形態について、内視鏡の先端部を拡大して示す断面図である。
【図６】本発明に係る内視鏡装置の第３の実施の形態について、内視鏡の先端部を拡大して示す断面図である。
【図７】本発明に係る内視鏡装置の第４の実施の形態について、内視鏡の先端部を拡大して示す断面図である。
【図８】本発明に係る内視鏡装置の第５の実施の形態について、レーザ光出射制御手段の構成例を示す図である。
【符号の説明】
【００４２】
１    内視鏡装置
２    内視鏡
３    光源装置
４    制御装置
５    モニタ
２１    先端部
２４    挿入部
２５    操作部
３１    電源供給制御装置
３２    電源
３３    レーザダイオード
３４    集光光学部材
３５ａ    電源ケーブル
３５ｂ    信号線
３６    ライトガイド
３６ａ    入射端面
３６ｂ    出射端面
４０    スイッチ（アダプタ検知手段）
４０ａ    スイッチ可動部
４１    ＣＣＤ（荷電結合素子）
４１ａ    信号ケーブル（検知信号伝達手段）
４２    観察光学部材
５１    スイッチ操作口
５２    先端凹部
６０    先端光学アダプタ
６２    外輪部材
６３    円柱部材
６６    凸部
６７    突起部
６８    光学特性変換手段
７１，７２    電極
７３    導電部材
７５    共振周波数検知部
７６    コイル
７７    磁束検知部
７８    磁石（磁性体）
８１    遮光シャッタ
８２    シャッタ駆動部
８３    シャッタ制御手段
【図１】
2006189592.tif 000003
【図２】
2006189592.tif 000004
【図３】
2006189592.tif 000005
【図４】
2006189592.tif 000006
【図５】
2006189592.tif 000007
【図６】
2006189592.tif 000008
【図７】
2006189592.tif 000009
【図８】
2006189592.tif 000010